(57)【要約】【課題】            従来は無効を示すパンチ穴が穿設されたものについて、そのパンチ穴の位置によっては有無を確認できず有効で真正なものと判定してしまう虞があったという点と、光を仲介させて、このパンチ穴の有無を確認する際の精度をさらに向上させ、カードの全面に対しての照射及び、その照射によるデータを得ようとする点である。【解決手段】        ケーシングの前面に少なくともカードをローディング及びアンローディングするためのローラを有し、その搬路には各種のチェック対象と対応するセンサー、即ち、紫外線センサー、カード類の厚み計測センサー、カード走行位置センサー、貼付有無検出及び文字読み取りセンサーを備えたカード類の真贋判定装置において、前記したローラの前方に位置してバンドルファイバーで構成した発光ユニットとその発光ユニットからの光を対象となるカード類と対応させ、反射もしくは透過させて受光する受光ユニットを備えていることとする。【選択図】          図１
2009292112.tif 000002
【特許請求の範囲】
【請求項１】
ケーシングの前面に少なくともカードをローディング及びアンローディングするためのローラを有し、その搬路には各種のチェック対象と対応するセンサー、即ち、紫外線センサー、カード類の厚み計測センサー、カード走行位置センサー、貼付有無検出及び文字読み取りセンサーを備えたカード類の真贋判定装置において、前記したローラの前方に位置してバンドルファイバーで構成した発光ユニットとその発光ユニットからの光を対象となるカード類と対応させ、反射もしくは透過させて受光する受光ユニットを備えていることを特徴とするカード類の真贋判定装置。
【請求項２】
前記した発光ユニットと受光ユニットは隣接並設され、走行するカード類の表面に対して発光端面及び受光端面を対向させた構成としてあることを特徴とする請求項１に記載のカード類の真贋判定装置。
【請求項３】
前記した発光ユニット又は受光ユニットは基端を一つとして分離された二つの受光ユニット又は発光ユニット間に挟持されていることを特徴とする請求項２に記載のカード類の真贋判定装置。
【請求項４】
前記した発光ユニットと受光ユニットとは端面位置の高さを異ならしめてあることを特徴とする請求項３に記載のカード類の真贋判定装置。
【請求項５】
前記した発光ユニットと受光ユニットは走行するカード類を挟む配置とし、発光面と受光面を相互に対向させてあることを特徴とする請求項１に記載のカード類の真贋判定装置。
【請求項６】
前記した発光ユニットと受光ユニットとによって対象となるカード類の無効を示すパンチ穴の有無をチェックすることを特徴とする請求項１、請求項２、請求項３、請求項４または請求項５に記載のカード類の真贋判定装置。
【請求項７】
前記した発光ユニットと受光ユニットとは、複数の波長の光を用いる事ができるものとしたことを特徴とする請求項１、請求項２、請求項３、請求項４、請求項５または請求項６に記載のカード類の真贋判定装置。
【発明の詳細な説明】
【技術分野】
【０００１】
本発明はカード類、主として自動二輪車も含めた自動車運転免許証の真贋判定装置に関する。
【背景技術】
【０００２】
従来、自動販売機によって本来は未成年者に対する販売が規制されているアルコール飲料、タバコをはじめ成人向けの録画済ビデオテープ、ＤＶＤ、雑誌等が自由に購入できる状態となっている。
【０００３】
かかる商品を取扱う自動販売機には現在年齢を確認し、購入可能状態にセットアップをするため、自動車運転免許証を年齢の証明証として挿入させ、年齢を算出確認する運転免許証の識別装置が附設されるようになってきている。
【０００４】
しかしながら、従来の一般的な運転免許証の識別装置はコピー機やプリンタを使用した偽造免許証に対する対応が十分ではなく、特に真正の運転免許証の生年月日の記載欄にコピー機で作成した数字を切り貼りしたタイプの偽造免許証を識別できるものはなく、本願発明者はこれに対して特許文献１で示すような装置を開陳した。
【０００５】
この特許文献に示される装置は、ケーシングの前面に運転免許証の挿入口が形成され、この挿入口には挿入した運転免許証が摘み出し易いように切り欠きを備えるとともに、運転免許証の挿入を可能としている。
【０００６】
挿入口に続いては光学系のセンサーで挿入を検知し、駆動する引き込みローラとそのローラと転接する補助ローラが備えられ、それに続く搬路には可視光センサー、赤外線センサー、透過型の可視光センサーが備えられ、紫外線センサーも設けられ、サイズセンサーや奥端まで運転免許証が到達し、計測終了を検出するエンドセンサーが設けられている。
【０００７】
さらに、運転免許証に記載された生年月日を横方向から読み取るラインセンサーを設けてあり、貼り付けを検出することも可能とし、前記センサー群で運転免許証の紋様や写真も確認できる。
【０００８】
しかしながら、運転免許証には有効期限があり、この期限が切れたものは一般的にパンチ穴が穿設され、それが無効である旨を示す。このパンチ穴は穿設すべき位置が決められているものではなく、仮に生年月日の記載欄や写真欄等、従来の装置でチェックすべき位置以外にパンチ穴が穿設されると、従来の装置ではそのパンチ穴の有無を確認できず、無効のものでも真正の免許証として認識してしまう虞がある。
【特許文献１】特開２００１−２６６２０６号公報
【特許文献２】特願２００８−１０８９４４号出願書類
【特許文献３】特願２００８−１３５０５７号出願書類
【発明の開示】
【発明が解決しようとする課題】
【０００９】
本発明が解決しようとする問題点は従来のカード類の真贋判定装置にあっては無効を示すパンチ穴が穿設されたものについて、そのパンチ穴の位置によっては有無を確認できず有効で真正なものと判定してしまう虞があったという点であり、加えて、光を仲介させて、このパンチ穴の有無を確認する際の精度をさらに向上させ、カードの全面に対しての照射及び、その照射によるデータを得ようとする点である。
【課題を解決するための手段】
【００１０】
この問題点を解決するために、本発明に係るカード類の真贋判定装置はケーシングの前面に少なくともカードをローディング及びアンローディングするためのローラを有し、その搬路には各種のチェック対象と対応するセンサー、即ち、紫外線センサー、カード類の厚み計測センサー、カード走行位置センサー、貼付有無検出及び文字読み取りセンサーを備えたカード類の真贋判定装置において、前記したローラの前方に位置してバンドルファイバーで構成した発光ユニットとその発光ユニットからの光を対象となるカード類と対応させ、反射もしくは透過させて受光する受光ユニットを備えていることを特徴としている。
【００１１】
また、本発明に係るカード類の真贋判定装置は前記した発光ユニットと受光ユニットは隣接並設され、走行するカード類の表面に対して発光端面及び受光端面を対向させた構成としてあることを特徴とし、前記した発光ユニット又は受光ユニットは基端を一つとして分離された二つの受光ユニット又は発光ユニット間に挟持されていることを特徴とし、前記した発光ユニットと受光ユニットとは端面位置の高さを異ならしめてあることを特徴としている。
【００１２】
さらに、本発明に係るカード類の真贋判定装置は前記した発光ユニットと受光ユニットは走行するカード類を挟む配置とし、発光面と受光面を相互に対向させてあることを特徴とし、前記した発光ユニットと受光ユニットとによって対象となるカード類の無効を示すパンチ穴の有無をチェックすることを特徴とし、前記した発光ユニットと受光ユニットとは、複数の波長の光を用いる事ができるものとしたことを特徴としている。
【発明の効果】
【００１３】
本発明に係るカード類の真贋判定装置は上記のように構成されている。そのため、従来の判定装置の機能に加え、バンドルファイバーによって構成された発光ユニットと受光ユニットとの組み合わせによって無効を示すパンチ穴の存在を隙間なくカード全面に均一に光を照射することでチェックし、確認できるので、無効となったカードを使用する詐害行為を一切排除する事ができ、そのチェック精度を向上させる事ができる。
【発明を実施するための最良の形態】
【００１４】
図面として示し、実施例で説明したように構成することで実現した。
【実施例１】
【００１５】
次に、本発明の好ましい実施の一例を、目的とするカード類を運転免許証として図面を参照して説明する。図１は本発明に係るカード類の真贋判定装置を示す概略図、図２は同じく発光ユニットと受光ユニットの組み合せ状態を示す斜視図、図３は同じく透過型とした例を示す概略図、図４は同じく発光ユニットと受光ユニットの組み合せ構成を示す図、図５は同じく表示部を示す図、図６は同じく電子回路ブロック図である。
【００１６】
これらの図にあって１はチェック対象となる運転免許証を示し、２はこの運転免許証１が無効であることを示すパンチ穴である。このパンチ穴２は格別に穿設される個所は限定されておらず、一般的に径が３〜５ｍｍ程度の円形穴となっている。
【００１７】
この運転免許証１は特に図示しないケーシングの前面に形成されている挿入部から装置内へローディングされる。この挿入部には運転免許証の挿入を検知し、メカニズムを起動させる光学系のセンサーがあり、このセンサーの検知で駆動するローディングのためのローラがあり、このローラに続く搬路には可視光センサー及び赤外線センサー、それに続いて透過型の可視光センサーが備えられている。
【００１８】
さらには、紫外線センサーと運転免許証の厚みを計測する接点オン、オフ式センサー及び運転免許証１が奥端まで到達し、計測を終了したことを検出するエンドセンサーと、生年月日を読み取る密着型のラインセンサーがある。このラインセンサーにはＣＰＵから信号を受け、コピー紙等の貼り付けを検知するＬＥＤも設けられている。
【００１９】
そして、ここでは運転免許証をダイレクトに前記した挿入部へ挿入することを想定しているが、必要に応じてガイドの型や摘み取り用の切り欠きを先端に形成した挿入ガイドを挿入部の前方へ設けることもできる。
【００２０】
また、図中３は発光ユニット、４は受光ユニットを示しており、この各ユニット３、４はバンドルファイバーを成形したものとなっており、研磨された端面を運転免許証１の走行する表面と直角にもしくは必要に応じ角度をつけて設置される。この角度をつける場合は各ユニット３、４を傾ける場合のみではなく、端面の研磨を角度をつけて行なうことでも可能となる。この発光ユニット３の一部には発光素子５が、受光ユニット６の一部には受光素子が設けられている。
【００２１】
図１で示す場合、発光ユニット３と受光ユニット４は隣接並設され、挿入部の上面へ装備されるが、必要に応じて、この発光ユニット３と受光ユニット４とをフロントマスクでカバーすることも可能であり、この発光ユニット３と受光ユニット４とは運転免許証１の表面と１０ｍｍの距離をもって配備され、挿入や取り出しの際に障害となる事がないように配慮されている。また、装置に何らかの故障が生じても運転免許証１は挿入部から１０ｍｍは確保されているので、指で摘んで取り出すことに何ら支障は生じない。
【００２２】
この発光ユニット３及び受光ユニット４の横幅は運転免許証１の幅と合せて５５ｍｍを想定している。
【００２３】
また、発光ユニット３と受光ユニット４とは具体的には図２として示す構成のように組み合わされる。即ち、一つの受光素子６を有する受光ユニット４を二つに分離させ、その間に発光ユニット３を配置する構成としてある。ここでは、前記した摘み出すための指代として、運転免許証１と発光ユニット３、受光ユニット４との間隔を１０ｍｍとする。
【００２４】
この構成の場合も、図４として示すようにその端面位置は対象とするカード類の光学的状況に応じて変更する事ができ、発光ユニット３と受光ユニット４の位置変えや増量も可能で、隣接方向も運転免許証１の走行方向に沿って、即ち、横幅方向に隣接させたり、格子状に組み合わせたりすることも可能となる。
【００２５】
さらに、このバンドルファイバーを成形した発光ユニット３と受光ユニット４は図３として示すように光の透過型の装置とすることもできる。この場合、挿入口の前方に挿入ガイドを設ける場合はその挿入ガイドの一部に光を透過させる打ち抜き窓、あるいは透明部材で成形された透光部を設けることとなる。
【００２６】
そして、図中１０は発光ユニット３と受光ユニット４とによって無効を示すパンチ穴２の有無の検出作業を外部に出力する制御ユニットで、この制御ユニット１０は具体的には表示部１１にパンチ穴２を検出した場合、無効の旨の表示を行ない、他の要素の検出は停止して運転免許証を直ちに返却することとなる。
【００２７】
このパンチ穴２の有無のチェックをクリアした運転免許証は可視光センサー、赤外線センサーで写真と対応して波長による反射率の相違を利用して真贋を判定し、紫外線センサーはコピー等の紙質の相違を反射率でチェックする。また、ラインセンサーによって生年月日欄における貼り付けもチェックする。
【００２８】
こうして、全てをクリアした場合には表示部１１に「受付可」「購入可」外部機器に対しては「販売可」「入場可」等の表示をする。基準以下であれば「不可」となる。各光学系センサーで受光された受光ユニット４以外のアナログ値はマルチプレクサを経由し、多重化されてＡ／Ｄコンバータで変換されＣＰＵに取り込まれ、真贋の判定をすることとなる。また、ラインセンサーでのアナログ値は高速Ａ／Ｄコンバータで変換されてＣＰＵに取り込まれ、数値を認識させて基準年齢に達しているか否かの算定がなされる。
【産業上の利用可能性】
【００２９】
本発明に係るカード類の真贋判定装置は上記のように構成されている。実施例では対象を運転免許証としたが、これにこだわるものではなく、他の目的のカード類にも応用実施できることは勿論であり、またカード挿入部の配置によっては発光ユニット３と受光ユニット４を上位置ではなく左右位置や前後位置にすることも可能でそのカード挿入部が斜め方向に形成されればそれと対応する形態とすることも勿論可能である。なお、本実施例は既存の装置に発光ユニット３と受光ユニット４を後付けすることも可能としたものであるが、ケーシングの前面を延設して、予め発光ユニット３、受光ユニット４を筐体内に収容してあるいはセットとしてケーシング内に内包してしまう形態とすることもできる。
【００３０】
また、運転免許証１を含むカード類は使用される素材にバラ付きがあるので、電子回路によって、発受光素子の動作やカード類の表面からの距離調整も可能となっている。カード類の平面状況、即ち、凹凸や色彩に応じて発受光効果が最大となるよう角度をつけて設置する事が望ましく、発受光ユニットの端面に少量の段差（高低差）を設けて設置できるように調整可能とされる事が望ましい。そして、バンドルファイバーは任意の照射方向、受光面積を確保するのに適しており、形状も自由に束ねる事ができるので、多くのカード類の真贋判定に応用する事ができる。本装置は勿論、目的に応じて、複数の波長の光を採択して使用することもできる。
【００３１】
さらに、カードに半導体回路を使用した場合、通常は内部情報の書き換え等の手段で有効無効を設定しているが、外観として一見してそれを判定することは困難で、パンチ穴の穿設は無効表示として極めて有効で機械による検知のほか、視力の不自由な場合でも触手で判定できるので、内部情報の書き換えよりも無効を示す手段として望ましく、そのパンチ穴に対応する判定装置は非常に有効となる。
【図面の簡単な説明】
【００３２】
【図１】本発明に係るカード類の真贋判定装置を示す概略図である。
【図２】発光ユニットと受光ユニットの組み合せ状態を示す斜視図である。
【図３】透過型とした例を示す概略図である。
【図４】発光ユニットと受光ユニットの組み合せ構成を示す図である。
【図５】表示部を示す図である。
【図６】電子回路ブロック図である。
【符号の説明】
【００３３】
１    運転免許証
２    パンチ穴
３    発光ユニット
４    受光ユニット
５    発光素子
６    受光素子
１０  制御ユニット
１１  表示部
【図１】
2009292112.tif 000003
【図２】
2009292112.tif 000004
【図３】
2009292112.tif 000005
【図４】
2009292112.tif 000006
【図５】
2009292112.tif 000007
【図６】
2009292112.tif 000008